【手続補正書】
【提出日】平成22年6月23日(2010.6.23)
【手続補正１】
【補正対象書類名】特許請求の範囲
【補正対象項目名】全文
【補正方法】変更
【補正の内容】
【特許請求の範囲】
【請求項１】
入力された画像を変換してベクトル化データを生成するデータ変換手段と、
前記変換手段が生成するベクトル化データを処理する処理手段と、
前記変換手段が生成するベクトル化データを、前記処理手段が処理を行うデータとして登録する画像管理手段と、
前記処理手段による処理に関する設定を行う設定手段と、
を有し、
前記画像管理手段は、前記変換手段による生成が完了する前のベクトル化データを前記処理手段が処理を行うデータとして登録し、
前記設定手段は、前記画像管理手段によって登録された前記変換手段による変換が完了する前のベクトル化データに対して前記処理手段による処理のための設定を行うことを可能にすることを特徴とする画像処理装置。
【請求項２】
前記処理手段は、前記変換手段による生成が完了する前のベクトル化データに対してなされた前記設定手段による設定に従って、当該ベクトル化データの生成が完了した後に処理を行うことを特徴とする、請求項１に記載の画像処理装置。
【請求項３】
前記画像管理手段は、前記入力された画像と該入力された画像に対応するベクトル化データとを関連付けて管理することを特徴とする請求項１に記載の画像処理装置。
【請求項４】
前記設定手段による設定処理は、前記画像管理手段により登録されたデータのうち、ベクトル化データが生成されていないデータに対しては、該データに対応する入力画像を用いて実行し、ベクトル化データが生成されているデータに対しては該ベクトル化データを用いて実行することを特徴とする請求項２に記載の画像処理装置。
【請求項５】
前記設定手段は、ベクトル化データを用いて行う処理のうち、入力画像を用いて設定する処理を除く処理が指定された場合に、処理の継続に必要なベクトル化データが登録されているか否かを前記画像管理手段に問い合わせ、登録されていない場合には警告情報を出力する手段を有することを特徴とする請求項４に記載の画像処理装置。
【請求項６】
前記警告情報は、入力画像を用いて処理を継続するか、処理の継続に必要なベクトル化データが全て登録されるのを待って処理を継続するかを選択するための手段を有することを特徴とする請求項５に記載の画像処理装置。
【請求項７】
データ変換手段、処理手段、画像管理手段、及び設定手段を有する画像処理装置における画像処理方法であって、
前記データ変換手段が、入力された画像を変換してベクトル化データを生成する変換工程と、
前記処理手段が、前記変換工程で生成されるベクトル化データを処理する処理工程と、
前記画像管理手段が、前記変換工程で生成されるベクトル化データを、前記変換工程において処理が行われるデータとして登録する画像管理工程と、
前記設定手段が、前記処理工程における処理に関する設定を行う設定工程と、
を有し、
前記画像管理工程は、前記変換工程における生成が完了する前のベクトル化データを前記処理工程において処理を行うデータとして登録し、
前記設定工程は前記画像管理工程において登録された前記変換工程における変換が完了する前のベクトル化データに対して前記処理工程による処理のための設定を行うことを可能にすることを特徴とする画像処理方法。
【請求項８】
画像処理装置における画像処理方法をコンピュータに実行させるためのコンピュータプログラムであって、
入力された画像を変換してベクトル化データを生成する変換工程と、
前記変換工程で生成されるベクトル化データを処理する処理工程と、
前記変換工程で生成されるベクトル化データを、前記変換工程において処理が行われるデータとして登録する画像管理工程と、
前記処理工程における処理に関する設定を行う設定工程と、
を有し、
前記画像管理工程は、前記変換工程における生成が完了する前のベクトル化データを前記処理工程において処理を行うデータとして登録し、
前記設定工程は、前記画像管理工程において登録された前記変換工程における変換が完了する前のベクトル化データに対して前記処理工程による処理のための設定を行うことを可能にすることを特徴とするコンピュータプログラム。
【手続補正２】
【補正対象書類名】明細書
【補正対象項目名】発明の名称
【補正方法】変更
【補正の内容】
【発明の名称】画像処理装置、画像処理方法、及びコンピュータプログラム
【手続補正３】
【補正対象書類名】明細書
【補正対象項目名】０００１
【補正方法】変更
【補正の内容】
【０００１】
本発明は、画像の複写などの処理を行う画像処理装置及びその画像処理方法、並びに前記画像処理方法をコンピュータに実行させるためのコンピュータプログラムに関する。
【手続補正４】
【補正対象書類名】明細書
【補正対象項目名】０００８
【補正方法】変更
【補正の内容】
【０００８】
本発明は上記従来の問題点に鑑み、操作者の待ち時間を減らし、操作感の向上及び生産性を向上させることができる画像処理装置、画像処理方法、及びコンピュータプログラムを提供することを目的とする。
【手続補正５】
【補正対象書類名】明細書
【補正対象項目名】０００９
【補正方法】変更
【補正の内容】
【０００９】
上記目的を達成するため、本発明の画像処理装置は、入力された画像を変換してベクトル化データを生成するデータ変換手段と、前記変換手段が生成するベクトル化データを処理する処理手段と、前記変換手段が生成するベクトル化データを、前記処理手段が処理を行うデータとして登録する画像管理手段と、前記処理手段による処理に関する設定を行う設定手段と、を有し、前記画像管理手段は、前記変換手段による生成が完了する前のベクトル化データを前記処理手段が処理を行うデータとして登録し、前記設定手段は、前記画像管理手段によって登録された前記変換手段による変換が完了する前のベクトル化データに対して前記処理手段による処理のための設定を行うことを可能にすることを特徴とする。
【手続補正６】
【補正対象書類名】明細書
【補正対象項目名】００１０
【補正方法】変更
【補正の内容】
【００１０】
また、本発明の画像処理方法は、データ変換手段、処理手段、画像管理手段、及び設定手段を有する画像処理装置における画像処理方法であって、前記データ変換手段が、入力された画像を変換してベクトル化データを生成する変換工程と、前記処理手段が、前記変換工程で生成されるベクトル化データを処理する処理工程と、前記画像管理手段が、前記変換工程で生成されるベクトル化データを、前記変換工程において処理が行われるデータとして登録する画像管理工程と、前記設定手段が、前記処理工程における処理に関する設定を行う設定工程と、を有し、前記画像管理工程は、前記変換工程における生成が完了する前のベクトル化データを前記処理工程において処理を行うデータとして登録し、前記設定工程は前記画像管理工程において登録された前記変換工程における変換が完了する前のベクトル化データに対して前記処理工程による処理のための設定を行うことを可能にすることを特徴とする。
【手続補正７】
【補正対象書類名】明細書
【補正対象項目名】００１１
【補正方法】変更
【補正の内容】
【００１１】
また、本発明のコンピュータプログラムは、画像処理装置における画像処理方法をコンピュータに実行させるためのコンピュータプログラムであって、入力された画像を変換してベクトル化データを生成する変換工程と、前記変換工程で生成されるベクトル化データを処理する処理工程と、前記変換工程で生成されるベクトル化データを、前記変換工程において処理が行われるデータとして登録する画像管理工程と、前記処理工程における処理に関する設定を行う設定工程と、を有し、前記画像管理工程は、前記変換工程における生成が完了する前のベクトル化データを前記処理工程において処理を行うデータとして登録し、前記設定工程は、前記画像管理工程において登録された前記変換工程における変換が完了する前のベクトル化データに対して前記処理工程による処理のための設定を行うことを可能にすることを特徴とする。